(57)【特許請求の範囲】
【請求項１】
緑化用の植生材料の吹き付け工法であって、緑化工の施工域周辺の落下種子を含む表層土壌を植生材料として、この植生材料を、ジェット気流を導入して負圧域を形成し且つ負圧域に吸引した材料を圧送する円周エジェクタ装置によって吸引採取し、かつ、円周エジェクタ装置に接続の搬送用ホースによって緑化施工域に吹き付けることを特徴とする植生材料の吹き付け工法。
【請求項２】
植生材料の搬送用ホースの途中に、別途、円周エジェクタ装置を備えて、植生材料を中継搬送することを特徴とする請求項１に記載された植生材料の吹き付け工法。
【請求項３】
緑化用の植生材料の吹き付け工法であって、緑化工の施工域周辺の落下種子を含む表層土壌を植生材料として、この植生材料を、ジェット気流を導入して負圧域を形成し且つ負圧域に吸引した材料を圧送する円周エジェクタ装置によって吸引採取し、この植生材料を円周エジェクタ装置に接続の搬送用ホースによって仮置き場に一時貯留し、かつ、吹き付け工程に準じて緑化施工域の近傍に植生材料を運搬して、この植生材料を別途用意の円周エジェクタ装置に接続の搬送用ホースによって緑化施工域に吹き付けることを特徴とする植生材料の吹き付け工法。
【請求項４】
表層土壌の採取域に土壌団粒化材を散布した後に、表層土壌を吸引採取することを特徴とする請求項１〜３のいずれかに記載された植生材料の吹き付け工法。
【請求項５】
ホースによって搬送される植生材料に、土壌改良材、保水剤、有機堆肥、化学肥料、植物性繊維の少なくとも一つを添加混合することを特徴とする請求項１〜４のいずれかに記載された植生材料の吹き付け工法。
【発明の詳細な説明】
【０００１】
【発明の属する技術分野】
本発明は、法面や裸地などに対する緑化用の植生材料の吹き付け工法に関するものである。
【０００２】
【従来の技術】
例えば法面の緑化に際しての植物種子の吹き付け工法として、一般には、外来草や郷土野草、樹木の種子を国内広域で採取して、この種子を植生基材（有機堆肥や化学肥料、植物性繊維、保水剤、土壌改良材などを配合したもの。）に混合し、これを植生材料として用意する一方、法面にネットを張設して、このネットを覆うように、上記の植生材料を吹き付ける工法をとっている。
【０００３】
ところが、この工法では、植物種子の採取域が広範囲であることから、緑化施工域（例えば法面）の周辺における植物種子を含むことは稀である上に、その量も僅かであって、その殆どが緑化施工域から離れた地域の植物種子であることから、生態系の保護やアセスメントなどの面から望ましいものではなかった。
【０００４】
そこで、緑化施工域の周辺に落下した植物種子を用いる工法が推奨されるようになり、その工法として、落下種子を篩い選別して植生基材に混合し、これを植生材料として法面に吹き付けたり、法面に植生基材を吹き付けて、これに篩い選別した植物種子を播種したりしていたのであるが、施工効率が悪い点で問題があった。
【０００５】
また、吹き付け工程によっては、篩い選別した種子を長期保存することもあって、種子の発芽率が大幅に低下し易い点でも問題があった。
【０００６】
このことから、緑化工の施工域周辺の表層土壌を採取して、これを植生材料とし、この植生材料を法面に吹き付ける工法、即ち、現地植生の落下種子を活用して、緑化施工域周辺の植物相を混乱させない緑化工法が実施されつつある。
【０００７】
この植生材料とする表層土壌の採取に際して、従来は、バックホウ等の重機を用いて、山野の表層土壌を掘削し、その掘削土を運搬車の荷台に積み込んで集積場に運搬し、ここで掘削土を除撰機にかけて、緑化施工の障害となる大きな礫や根、枝などを除去し、これを植生材料としてストックして、必要に応じて緑化施工域に運搬し、法面に吹き付けるようにしている。
【０００８】
【発明が解決しようとする課題】
ところが、バックホウ等の重機乗り入れのためには、表層土壌の採取域に、膨大な工事費を要する道路工事が必要となり、或いは、道路工事をしないで済ませるにしても、重機の移動にとって邪魔になる立木を伐採する必要があり、表層土壌採取域の植生を破壊する点で問題があった。
【０００９】
また、緑化工に用いて好適な土壌は、落下種子を含む表層の土壌であって、その厚みは、通常５ｃｍ前後とされており、しかるに、バックホウ等の重機では、表面が複雑に凹凸を呈する山野表層を均一に浅く掘削することは、如何に熟練者であっても非常に困難で、例えば２０〜５０ｃｍといった深さを掘削してしまうことから、表層土壌の採取域を荒廃させる点でも問題があった。
【００１０】
更に、選別除去した礫等の後始末も問題になる上に、バックホウ等による掘削土の採取では、これが大土塊になることから、作業性が悪くなり、かつ、保存に際して広いスペースを必要とし、加えて、長期保存した場合の種子の発芽率が相当低下する点でも問題があった。
【００１１】
一方、植生材料の吹き付けに際して、この植生材料をコンプレッサーが接続されたモルタルガン機と称される圧送装置に供給して、これをバッチ毎に圧搾空気にて圧送する形態をとっているが、バッチ毎の圧送であることから効率が悪い上に、装置が大型であることから、狭隘な林道等での機動性に欠け、更に、植生材料を一旦貯留しておいて、これをバッチ毎で圧送装置に供給し直さねばならない煩わしさがあり、それに要する時間の無駄が大きい点で問題があった。
【００１２】
本発明は、かゝる実情に鑑みて成されたものであって、現存の植生に悪影響を与えることなく、落下種子を含む薄層の土壌を採取して、これを吹き付けるようにした植生材料の吹き付け工法を提供する。
【００１３】
【課題を解決するための手段】
即ち、本発明による植生材料の吹き付け工法は、緑化工の施工域周辺の落下種子を含む表層土壌を植生材料として、この植生材料を、ジェット気流を導入して負圧域を形成し且つ負圧域に吸引した材料を圧送する円周エジェクタ装置によって吸引採取し、かつ、円周エジェクタ装置に接続の搬送用ホースによって緑化施工域に吹き付ける点に特徴がある（請求項１）。
【００１４】
落下種子を含む表層土壌とは、本発明では、図２に示すように、山野・林地等で形成される土壌断面のＡ00層〜Ｂ層と称される土壌層を言うのであり、最も好ましくは、落葉が分解を始めるＡ0 層〜Ａ2 層を主体に吸引採取することであって、この表層土壌の吸引採取に際して、小灌木やカヤ、笹などの下層植生を下刈りし、かつ、落葉や落枝を大雑把に排除して、ホースでの詰まりを未然に防止することが望ましい。
【００１５】
上記の表層土壌が固くて吸引採取が困難であるならば、小型の耕運機やレーキなどを用いて、植生材料として利用する層までの土壌を解せばよく、或いは、高圧エアの吹き付けによる解しも効果的であって、この高圧エアの吹き付けでは、現存木の根を傷めない点で好適である。
【００１６】
而して、本発明によれば、円周エジェクタ装置に接続の搬送用ホースを、表層土壌の採取域から緑化施工域にわたって設置して、円周エジェクタ装置によって吸引採取した植生材料を、そのまま直接的に且つ連続的に緑化施工域に吹き付けることから、バックホウ等の重機を乗り入れる従来の採取方法に比較して、表層土壌の採取域を荒廃させることなく、現地植生の落下種子を有効に活用して、生態系の保護やアセスメントなどの面で望ましい緑化が効率的に達成される。
【００１７】
緑化施工域が表層土壌の採取域から遠く離れていて、植生材料の圧送が困難であるならば、植生材料の搬送用ホースの途中に、別途、円周エジェクタ装置を備えて、植生材料を中継搬送させるようにすればよく（請求項２）、緑化施工域が更に遠方の場合は、吸引採取した植生材料を仮置き場に一時貯留して、吹き付け工程に準じて緑化施工域の近傍に植生材料を運搬し、この植生材料を、例えば別途用意の円周エジェクタ装置に接続の搬送用ホースによって、緑化施工域に吹き付ければよいのである（請求項３）。
【００１８】
いずれにしても、吸引採取される表層土壌は、薄層分であって量的に少量である上に、礫などを殆ど含まないことから、礫等の後始末が不要で、取り扱い面や作業性の面で好適なものとなる。
【００１９】
一方、吸引採取された表層土壌は、ホース内を搬送される間に気流に乗って乾燥され、更に、ホース内を転がり移送される間に増粒・団粒化されることから、ホース内壁に付着して、ホースを詰まらせることがなく、更に、緑化施工域に吹き付けた植生材料の均し作業を楽に行うことができるのであり、或いは、植生材料を保存するにしても、これが小さく団粒化することで、これまでの種子のみの保存と同様に、狭いスペースに袋保存することが容易に可能であって、長期保存した場合の種子の発芽率も高くなり、従って、先々の緑化計画にも容易に対応することができる。
【００２０】
植生材料を例えば袋保存する上で、表層土壌の採取域に土壌団粒化材を散布した後に、表層土壌を吸引採取して、植生材料の積極的な団粒化を図ることが望ましく（請求項４）、こうすることにより、収容袋内で土壌粒子が押し潰されて、大土塊になることを防止し、吹き付け散布時の作業がやり易くなる。
【００２１】
このことから好適には、ホースによって搬送される植生材料に、土壌改良材、保水材、有機堆肥、化学肥料、植物性繊維の少なくとも一つを添加混合することである（請求項５）。
【００２２】
一方、具体構造は後述する本発明の実施の形態によって明らかであるが、円周エジェクタ装置は、ジェット気流を導入して所謂コアンダ効果によって負圧域を形成し、この負圧域に表層土壌を吸引採取して、次いでジェット気流により、この吸引採取した表層土壌を連続的に圧送するもので、植生材料をバッチ毎に圧送するところの、コンプレッサーが接続されたモルタルガン機と称される圧送装置に比較して、非常に小型であって、取り扱いが容易であり、従って、狭隘な林道等での作業性の大幅なアップが達成される。
【００２３】
【発明の実施の形態】
以下、本発明の実施の形態を図面に基づいて説明する。図１は緑化施工域（この実施の形態では法面）Ｎに対する緑化工の一形態を示し、法面Ｎに崩落防止用のネット１を張設する一方、有機堆肥や化学肥料、植物性繊維、保水剤、土壌改良材などを配合した植生基材２を緑化施工域（法面）Ｎの近傍に搬入し、かつ、ネット１を覆うように、エア式搬送吹き付け装置３によって、植生基材２を例えば２〜８ｃｍ程度の厚みで法面Ｎに吹き付けている。
【００２４】
そして、図２にも示すように、法面Ｎの緑化施工域に隣接する地域Ａの表層土壌４、即ち、現地植生の落下種子ａを含む表層土壌４を緑化用の植生材料５として、この植生材料５を吸引採取し、これを例えば０．５〜３ｃｍ程度の厚みで植生基材２の表面に吹き付けて、法面Ｎの緑化を図るようにしている。
【００２５】
具体的には、図３に示すように、表層土壌４の採取域Ａに存する落葉ｂや落枝ｃを大雑把に排除し、その他、例えば小灌木やカヤ、笹などの下層植生が存する場合は、これも刈り取って排除し、かつ、必要に応じて、例えばポリエチレンオキサイドやポリアクリルアマイドなどの土壌団粒化材ｄを、表層土壌４の採取域Ａに散布する。
【００２６】
そして、多くの養分を含んで緑化工に用いて好適とされる厚みが５ｃｍ前後の表層土壌４、例えば古い落葉がたまったＡ00層と、分解しかけた落葉（腐植）を含むＡ0 層と、腐植と土とが混ざったＡ1 層の表層土壌４を、例えば耕運機（耕運爪のみを示している。）６で解して、この解した落下種子ａを含む表層土壌４を植生材料５とし、この植生材料５をエア式搬送吹き付け装置７によって吸引採取して、ここで図２に戻って、この植生材料５を、そのまま植生基材２層の表面に直接的に且つ連続的に吹き付けて、もって、現地植生の落下種子ａを有効に活用して、現地植生の植物相を混乱させない法面緑化を図るようにしているのである。
【００２７】
植生基材２ならびに植生材料５を搬送し、これを吹き付けるためのエア式搬送吹き付け装置３，７は、共に同じ構成のものであって、吹き付け装置７を例にして図２及び図４に示すように、この吹き付け装置７は、ジェット気流を導入して負圧域Ｃを形成し且つ負圧域Ｃに吸引した植生材料５を圧送する円周エジェクタ装置８と、この円周エジェクタ装置８の吸い込み口８ａに接続された可撓性を有する植生材料吸い込みホース９と、円周エジェクタ装置８の吹き出し口８ｂに接続された可撓性を有する植生材料搬送用ホース１０、及び、ホース９，１０の端部に接続された植生材料５の吸い込み用および吹き付け用のノズル１１ａ，１１ｂから成る。
【００２８】
上記の円周エジェクタ装置８は、図４に示すように、ホース接続口８ａ，８ｂを備えた例えば中括れ形状の筒体１２の内部に、この筒体１２とによって環状のエアチャンバーＤとを形成する内筒１３を設け、かつ、この内筒１３の搬送方向下流側と筒体１２との間に、ジェット気流導出用の環状スリットｔを形成する一方、上記のエアチャンバーＤに臨ませて前記筒体１２に、コンプレッサー１４からの高圧エアの供給ライン１５を接続して成る。
【００２９】
上記の構成によるエア式の搬送吹き付け装置７によれば、エアチャンバーＤに導入された高圧エアが、環状スリットｔを通過する間にジェット気流化されて、このジェット気流が搬送用ホース１０に向けて噴出されるのであって、これによって、円周エジェクタ装置８の内筒１３内部に負圧域Ｃが形成される一方、ジェット気流は、所謂コアンダ効果によって密度を高めるように、搬送用ホース１０の内面に引き寄せられる。
【００３０】
従って、図２および図４に示すように、表層土壌４の採取域Ａから緑化施工域（法面）Ｎにわたってエア式搬送吹き付け装置７を配置して、円周エジェクタ装置８を作動させ、内筒１３内部に負圧域Ｃを形成した状態で、吸い込み用ホース９の吸い口を、耕運機によって解された表層土壌４ひいては植生材料５に向けると、植生材料５は負圧の吸引作用を受けて、順次負圧域Ｃに吸引採取されることになる。
【００３１】
そして、負圧域Ｃに吸引採取された植生材料５は、この負圧域Ｃを通過し、次いでホース１０内面に引き寄せられる高密度のジェット気流に乗って、そのままホース１０内を圧送され、搬送用ホース１０に接続の先端ノズル１１ｂから噴出されて、植生基材２の表面に連続的に吹き付けられるのである。
【００３２】
この際、吸引採取される表層土壌４ひいては植生材料５は、量的に少量であって、礫などを殆ど含まないことから、礫等の後始末が不要で、取り扱い面や作業性の面で好適であり、しかも、植生材料５は、ホース内を搬送される間に気流に乗って乾燥されると共に、更に、ホース内を転がり移送される間に増粒・団粒化される。
【００３３】
加えて、必要に応じて表層土壌４の採取域Ａに土壌団粒化材ｄを散布した際は、植生材料５の積極的な団粒化が達成されるのであって、植生材料５が団粒化されることは即ち、植生材料５を植生基材２の表面に吹き付けた後の、植生材料５の均し作業を楽に行えることに繋がるのである。
【００３４】
緑化施工域（法面）Ｎが表層土壌４の採取域Ａから遠く離れていて、植生材料５の圧送が困難であるならば、図２に示すように、植生材料５の搬送用ホース１０の途中に、別途、円周エジェクタ装置１６を備えて、植生材料５を中継搬送させれるようにすればよい。
【００３５】
緑化施工域（法面）Ｎが更に遠方の場合は、図５に示すように、エア式搬送吹き付け装置７によって吸引採取した植生材料５を、例えば袋詰めして仮置き場Ｒに一時貯留し、その他、吹き付け工程に準じて、例えばトラックなどの車両Ｔを利用して、植生材料５を緑化施工域（法面）Ｎの近傍に運搬し、この植生材料５を、例えば別途用意のエア式搬送吹き付け装置７Ａを用いて、これの円周エジェクタ装置８に接続の搬送用ホース１０によって、緑化施工域（法面）Ｎに吹き付けるようにすればよい。
【００３６】
この植生材料５の一時貯留に際しても、吸引採取する植生材料５が量的に少量であることから、その貯留スペースが狭くて済むのであり、更には、植生材料５を長期に保存する場合であっても、植生材料５が小さく団粒化することから、これまでの種子のみの保存と同様に、狭いスペースに袋保存することができると共に、袋保存に際して、植生材料５の土壌粒子が押し潰され難いことから、大土塊になることが防止され、この結果、吹き付け散布時の作業がやり易くなるのであり、加えて、植生材料５に含まれる種子ｃの発芽率も高くなるのであって、先々の緑化計画にも容易に対応することが可能となる。
【００３７】
上記の法面緑化の施工では、植生基材２の吹き付けによって法面Ｎ上に植生の基盤層を形成した上で、この表面に植生材料５を吹き付ける二層吹き付けの形態をとっているが、法面Ｎの土壌が良質であるような場合は、植生基材２の吹き付けを省略してもよいのであり、また、ホース１０によって搬送される植生材料５に、土壌改良材（ピートモス、バーク堆肥、ベントナイトなど）、保水剤（パーライト、バーミキュライト、石膏、高吸水性ポリマーなど）、有機堆肥、化学肥料、植物性繊維の少なくとも一つを添加混合して、これを法面Ｎ上に直接的に吹き付けてもよいのである。
【００３８】
具体的には、例えば図４に仮想線で示すように、円周エジェクタ装置８の近傍に、土壌改良材ｅなどの投入シュート１７を備えたホッパー１８を配置して、そのシュート１７の投入口ｆを負圧域Ｃに臨ませ、負圧域Ｃへの植生材料５の吸引に伴って土壌改良材ｅなどを負圧域Ｃに導入させて、植生材料５と土壌改良材ｅとを混合させた状態で、この混合物を植生基材２の表面に吹き付けるようにしてもよいのである。
【００３９】
土壌改良材ｅの添加箇所として、円周エジェクタ装置８を対象にしているが、中継用の円周エジェクタ装置１６を対象にしてもよく、その他、搬送用ホース１０の途中であってもよいのであり、図５に示したように、植生材料５を一時貯留する場合は、この植生材料５の吹き付けに際して、土壌改良材ｅなどを添加混合させてもよいのである。
【００４０】
尚、上記の実施の形態では、現地植生による緑化対象を道路際の法面Ｎとしているが、例えば集中豪雨などによる山地の崩壊地、その他の裸地などを緑化対象にすることができる。
【００４１】
【発明の効果】
以上説明したように、請求項１記載の発明では、緑化工の施工域周辺の落下種子を含む表層土壌を植生材料として、この植生材料を円周エジェクタ装置によって吸引採取し、これを緑化施工域に直接的に且つ連続的に吹き付ける点に特徴がある。
【００４２】
従って、この発明によれば、バックホウ等の重機を乗り入れる従来の工法に比較して、表層土壌の採取域を荒廃させることなく、現地植生の落下種子を有効に活用して、生態系の保護やアセスメントなどの面で望ましい緑化が効率的に達成される。
【００４３】
請求項３記載の発明では、緑化工の施工域周辺の落下種子を含む表層土壌を植生材料として、この植生材料を、円周エジェクタ装置によって吸引採取し、仮置き場に一時貯留し、かつ、吹き付け工程に準じて緑化施工域の近傍に植生材料を運搬して、この植生材料を別途用意の円周エジェクタ装置に接続の搬送用ホースによって緑化施工域に吹き付ける点に特徴がある。
【００４４】
この発明によれば、緑化施工域が表層土壌の採取域から遠く離れていても、この域の緑化を、上述したように効率的に行うことができる。
【００４５】
また、植生材料の吸引採取に際して、植生材料が小さく団粒化することで、吹き付け後における植生材料の均し作業を楽に行うことができるようになり、或いは、植生材料を一時的に保存するにしても、これを狭いスペースに袋保存することが容易に可能である上に、このように植生材料を袋保存する上で、植生材料が小さく団粒化していることから、収容袋内で土壌粒子が押し潰され難くなり、即ち、大土塊になることが防止されるのであって、吹き付け散布時の作業がやり易くなり、かつ、長期保存した場合の種子の発芽率も高くなり、先々の緑化計画にも容易に対応することができる。
【図面の簡単な説明】
【図１】法面の緑化施工の形態図である。
【図２】エア式搬送吹き付け装置の概略構成図である。
【図３】植生材料の吸引採取の状況を示す説明図である。
【図４】円周エジェクタ装置の概略断面図である。
【図５】表層土壌の採取域から離れている施工域の緑化状況を示す説明図である。
【符号の説明】
４…表層土壌、５…植生材料、８，２３…円周エジェクタ装置、１０…搬送用ホース、ａ…落下種子、ｄ…土壌団粒化材、ｅ…土壌改良材、Ｃ…負圧域、Ｎ…緑化施工域。
【図１】
0004567879.tif 000002
【図２】
0004567879.tif 000003
【図３】
0004567879.tif 000004
【図４】
0004567879.tif 000005
【図５】
0004567879.tif 000006